(57)【要約】【課題】路面側への蔓植物の進入を簡単に防止することが可能な防草フェンスを提供する。【解決手段】路面１と非舗装面２の境界部に対して立設される防草面部１０と、防草面部の上部から路面側とは反対側に向けて斜めに延出した反り返し部１１と、から防草フェンス３を構成し、非舗装面側から路面側に雑草９等の草木が進入することを防草面部によって阻止すると共に、反り返し部によって蔓植物９′を非舗装面側に反り返すように誘導することにより当該蔓植物が前記路面側に進入することを防止するようにした。【選択図】図１
2012102494.tif 000002
【特許請求の範囲】
【請求項１】
路面とその外側の非舗装面との境界部に立設される防草面部と、
前記防草面部の上部から前記路面側とは反対側に向けて斜めに延出した反り返し部と、を備え、
前記非舗装面側から前記路面側に草木が進入することを前記防草面部によって阻止すると共に、前記反り返し部によって蔓植物を前記非舗装面側に反り返すように誘導することにより当該蔓植物が前記路面側に進入することを防止するようにしたことを特徴とする防草フェンス。
【請求項２】
前記防草面部と前記反り返し部とを別体で構成し、
前記反り返し部は、前記防草面部と重なる基部を有し、
前記基部と前記防草面部との間に間隙を設けたことを特徴とする請求項１に記載の防草フェンス。
【請求項３】
前記防草面部における少なくとも下縁部に、路面側からの雨水が通過可能な排水開口部を設けたことを特徴とする請求項１又は請求項２に記載の防草フェンス。
【請求項４】
前記反り返し部の先端部は、先端に向かう程に前記路面の側方から下方に向けて彎曲させたことを特徴とする請求項１から請求項３の何れか一項に記載の防草フェンス。
【請求項５】
前記防草面部は、当該防草面部の一方の面側から反対面側を見通すことが可能な素材及び構造を有することを特徴とする請求項１から請求項４の何れか一項に記載の防草フェンス。
【発明の詳細な説明】
【技術分野】
【０００１】
本発明は、舗装した路面とその路面から外れた側方の非舗装面との境界部に設置される防草フェンスに関し、特に、非舗装面側の雑草等が路面側へ進入することを効果的に防止することが可能であり、各種既設防護柵（ガードレール、転落防止柵等）の支柱に簡単に取り付けることも可能な防草フェンスに関する。
【背景技術】
【０００２】
道路や歩道などの舗装路面の外側に非舗装面がある場合、非舗装面側で雑草等の草木が繁茂すると、これらの草木が路面側に進入してくることがある。路面と非舗装面との境界部分にガードレール等の防護柵が設けられていても、蔓性の植物等は防護柵の隙間から、或いは、当該防護柵の上部を乗り越えて路面側に進入してくる場合がある。路面側、特に歩道まで雑草等が張り出した場合、これらの雑草等が歩行の障害となり、点等や怪我の要因となる可能性もあった。このため、従来では、動力草刈機等を用いてこれらの雑草の刈り取り作業が行われていた（例えば、特許文献１参照）。
【先行技術文献】
【特許文献】
【０００３】
【特許文献１】特開２００７−０３７４２７号公報
【発明の概要】
【発明が解決しようとする課題】
【０００４】
しかしながら、刈り取り作業後においても雑草は残った根から生長するので、上記の刈り取り作業を定期的に行わなければならない。このため、維持管理費が嵩むという問題があった。
【０００５】
本発明は、このような事情に鑑みてなされたものであり、その目的は、路面側への蔓植物の進入を簡単に防止することが可能な防草フェンスを提供することにある。
【課題を解決するための手段】
【０００６】
本発明は上記目的を達成するために提案されたもので、請求項１に記載のものは、路面とその外側の非舗装面との境界部に立設される防草面部と、
前記防草面部の上部から前記路面側とは反対側に向けて斜めに延出した反り返し部と、を備え、
前記非舗装面側から前記路面側に草木が進入することを前記防草面部によって阻止すると共に、前記反り返し部によって蔓植物を前記非舗装面側に反り返すように誘導することにより当該蔓植物が前記路面側に進入することを防止するようにしたことを特徴とする防草フェンスである。
【０００７】
請求項２に記載のものは、前記防草面部と前記反り返し部とを別体で構成し、
前記反り返し部は、前記防草面部と重なる基部を有し、
前記基部と前記防草面部との間に間隙を設けたことを特徴とする請求項１に記載の防草フェンスである。
【０００８】
請求項３に記載のものは、前記防草面部における少なくとも下縁部に、路面側からの雨水が通過可能な排水開口部を設けたことを特徴とする請求項１又は請求項２に記載の防草フェンスである。
【０００９】
請求項４に記載のものは、前記反り返し部の先端部は、先端に向かう程に前記路面の側方から下方に向けて彎曲させたことを特徴とする請求項１から請求項３の何れか一項に記載の防草フェンスである。
【００１０】
請求項５に記載のものは、前記防草面部は、当該防草面部の一方の面側から反対面側を見通すことが可能な素材及び構造を有することを特徴とする請求項１から請求項４の何れか一項に記載の防草フェンスである。
【発明の効果】
【００１１】
請求項１に係る発明によれば、以下のような優れた効果を奏する。
即ち、設路面と非舗装面の境界部に対して立設される防草面部と、防草面部の上部から路面側とは反対側に向けて斜めに延出した反り返し部と、から防草フェンスを構成し、非舗装面側から路面側に草木が進入することを防草面部によって阻止すると共に、反り返し部によって蔓植物を非舗装面側に反り返すように誘導するようにしたので、非舗装面側において繁茂した雑草等の草木が路面側に進入することが防草面部によって阻止され、また、特に蔦などの蔓植物に関しては、防草フェンスに沿って成長したとしても、反り返し部によって非舗装面側に向けて反り返すように誘導されるため、防草フェンスの上部を乗り越えて路面側に進入することが抑制される。その結果、雑草等の刈り取り作業を頻繁に行わなくても済み、維持管理費を削減することが可能となる。また、例えば、動力刈取機を用いて非舗装面側の雑草の刈り取りを行う場合においても、防草面部によって小石等が路面側に飛ばされることが抑制されるので、別途に保護ネット等を取り付けなくても安全性を確保することができる。
【００１２】
請求項２に係る発明によれば、防草面部と反り返し部とを別体で構成し、反り返し部は、防草面部と重なる基部を有し、基部と防草面部との間に間隙を設けたので、防草面部により路面側への進入が阻止された蔓植物がこの間隙を通って反り返し部に絡み易くなる。これにより、蔓植物をより効果的に非舗装面側に誘導することが可能となる。
【００１３】
請求項３に係る発明によれば、防草面部における少なくとも下縁部に、路面側からの雨水が通過可能な排水開口部を設けることにより、防草面部の近傍に雨水が溜まることが防止される。
【００１４】
請求項４に係る発明によれば、反り返し部の先端部は、先端に向かう程に路面の側方から下方に向けて彎曲させたので、反り返し部に絡まった蔓植物が反り返し部の先端まで伸びた場合において、当該蔓植物を自重により垂下させて非舗装面側に戻すことができる。これにより、蔓植物が路面側に進入することがより確実に防止される。
【００１５】
請求項５に係る発明によれば、防草面部が、当該防草面部の一方の面側から反対面側を見通すことが可能な素材及び構造を有するので、視覚的な圧迫感が抑制され、これにより、景観を損なうことが抑制される。
【図面の簡単な説明】
【００１６】
【図１】路面と非舗装面との境界部に沿って防草フェンスを新規に設置した状態を説明する右側面図である。
【図２】防草フェンスを設置した状態を説明する正面図である。
【図３】防草フェンスの右側面図である。
【図４】防草フェンスの正面図である。
【図５】防護柵と防草フェンスとの連結構造について説明する図である。
【図６】防草フェンスの変形例について説明する右側面図であり、既設防護柵に防草フェンスを取り付けた状態を示している。
【図７】第２の実施形態における防草フェンスの右側面図である。
【図８】第２の実施形態における防草フェンスの正面図である。
【図９】第２の実施形態における防草フェンスと防護柵との連結構造について説明する図である。
【図１０】第２の実施形態における防草フェンスの変形例について説明する正面図である。
【図１１】第２の実施形態の変形例における防草フェンスと防護柵との連結部分の拡大図である。
【図１２】第３の実施形態における防草フェンスを設置した状態を説明する右側面図である。
【図１３】他の実施形態における防草フェンスを説明する斜視図である。
【発明を実施するための形態】
【００１７】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。
【００１８】
図１は、車道又は歩道などの路面１と、その外側の非舗装面２との境界部に沿って新規に防護柵４を設置した上で当該防護柵４に本発明に係る防草フェンス３を取り付けた状態を説明する右側面図であり、図２は路面側から見た正面図である。また、図３は、防草フェンス３本体の側面図であり、図４は防草フェンス３本体の正面図である。本実施形態における防草フェンス３は、路面１と非舗装面２との境界部に既設のガードレールや境界ブロックなどが無い場合に、当該境界部に防護柵４を新たに設置した上で、当該防護柵４に、後述する固定ブラケット１３を用いて着脱可能に取り付けられるようになっている。本実施形態における防護柵４としては、境界部に沿って所定の間隔で立設された複数本の支柱５と、支柱同士を連結するパイプ状のビーム６と、からなるガードパイプを例示している。
【００１９】
防護柵４の支柱５の下端部分５′は、現場打ち或いはプレキャストによってコンクリート製の基礎ブロック７に埋め込まれている。プレキャストの場合、施工時には、当該基礎ブロック７を土中に埋設することで、容易且つ迅速に支柱５を立設させることができる。そして、路面１においては、基礎ブロック７の手前まで舗装される。支柱同士を連結するビーム６は、設置面に対して略平行となる姿勢で、互いに上下方向の位置を異ならせて複数本（図３の例では上段、中段、及び、下段の合計３本）図示しない接続金具によって、支柱５の路面側に取り付けられている。
【００２０】
防草フェンス３は、非舗装面２側の雑草９が路面１側へ進入することを防止するための防草面部１０と、非舗装面２側の雑草９のうち主に蔓植物９′の路面１側への進入を防止するための反り返し部１１と、から概略構成されている。防草面部１０は、多数の開口部（排水開口部）１２を開設した矩形状の多孔板材であり、例えば、金属や剛性樹脂などから構成される。この防草面部１０の縦方向の寸法は、支柱５の地表面から上端までの寸法よりも短く、また、防草面部１０の横方向の寸法は、隣り合う支柱５同士の間隔よりも少し短い。開口部１２は、風や雨を通すための開口であり、特に、下縁部に開口するものは、路面側の雨水を通過させて非舗装面側に排出するための開口である。本実施形態においては、縦長なスリット状の開口部１２を、後述する反り返し部１１の縦パイプ１５と正面視で重なる部分を避けて防草面部１０の全面に設けてある。この開口部１２に関し、少なくとも防草面部１０の下端部分、つまり、設置面側の下縁部に開設されていればよい。また、この開口部１２の形状に関しては、例示したスリット状のものには限定されず、例えば、円形等種々の態様を採用することができる。このように、防草面部１０に開口部１２を設けることにより、防草面部１０の近傍に雨水が溜まることが防止される。また、開口部１２を防草面部１０の全面に設け、当該防草面部１０の一方の面側から反対面側を見通すことが可能とすることで、視覚的な圧迫感が抑制され、これにより、景観を損なうことが抑制される。
【００２１】
本実施形態における反り返し部１１は、複数の縦パイプ１５と複数の横パイプ１６とを格子状に交差する状態で組み合わせて構成してある。縦パイプ１５は、地表に対して略垂直な姿勢で立設される基部１５ａと、当該基部１５ａの上端に連続する誘導部１５ｂとから成る。基部１５ａの上端（誘導部１５ｂとの境界）から下端までの高さは、防草面部１０の縦方向の寸法と同程度に揃えている。誘導部１５ｂは、図１及び図３に示すように側方視において、基部１５ａに対して防草面部１０とは反対側に向けて上り傾斜する状態で延出して片持ちアーチ状となっている。また、誘導部１５ｂの先端部は、先端に向かう程に下方（設置状態における非舗装面２）に彎曲している。なお、本実施形態においては、誘導部１５ｂの先端部のみを彎曲させる構成を例示したが、これに限らず、誘導部１５ｂ全体を緩やかに彎曲させても良い。
【００２２】
横パイプ１６は、支柱５の配置間隔に応じた全長の金属製のパイプ材であり、複数の縦パイプ１５同士を一定の間隔を空けて連結している。本実施形態において、縦パイプ１５に対して上下方向に一定の間隔開けて配置される複数の横パイプ１６のうち下２本の横パイプ１６ａ及び１６ｂは、縦パイプ１５における基部１５ａの防草面部１０側の面に溶接により接合している。また、残りの横パイプ１６は、誘導部１５ｂの防草面部１０とは反対側に溶接により接合してある。さらに、下２本の横パイプ１６ａ及び１６ｂを防草面部１０の非舗装面側となる背面に溶接することで、当該防草面部１０と反り返し部１１とを一体的に接合している。より具体的には、下２本の横パイプのうち、下側の横パイプ１６ａは、防草面部１０の縦方向中央部からやや下側の位置で防草面部１０に接合している。また、上側の横パイプ１６ｂは、防草面部１０の上辺に沿って当該防草面部１０と接合している。ここで、これらの横パイプ１６ａ，１６ｂは、防草面部１０と縦パイプ１５の基部１５ａとの間に挟まれた状態で両者に接合されているので、防草面部１０と縦パイプ１５の基部１５ａとの間には、図３に示すように、横パイプ１６の直径に応じた間隙Ｇが生じる。この間隙Ｇは、後述するように蔓植物９′の絡み代として機能する。また、横パイプ１６ａ，１６ｂの両端部は、下方に向けて略直角に屈曲してある。この屈曲部分から先の部分は、防護柵４に取り付けるための連結部１７として機能する。本実施形態においては、図２及び図４に示すように、１つの防草フェンス３に対して、左右の辺縁部に２箇所ずつ、合計４箇所に連結部１７が形成されている。そして、この連結部１７の先端部分には雄ネジが切られている（図５（ｃ）参照。）。
【００２３】
図５は、防護柵４と防草フェンス３との連結構造について説明する図であり、（ａ）は防護柵４の支柱５に固定ブラケット１３を取り付けた状態の拡大斜視図、（ｂ）は固定ブラケット１３の斜視図、（ｃ）は防護柵４と防草フェンス３の連結部分の拡大図である。本実施形態における固定ブラケット１３は、支柱５に取り付けるための支柱固定部５ａと、防草フェンス３の連結部１７が挿入されるフェンス固定部５ｂとから成り、金属製の板材から作製されている。支柱固定部５ａは、支柱５の断面形状に倣った断面Ｃ字形の円筒状を呈している。この支柱固定部５ａの開放端部から側方に向けて、互いに間隔を空けた状態で一対のクランプ片２０ａ，２０ｂを平行に延出している。これらのクランプ片２０ａ，２０ｂ同士の間隔は、取り付け作業時に作業者が手指で広げることが可能な程度の大きさに設定してある。そして、各クランプ片２０ａ，２０ｂの略中心部には、締結ボルト２１の軸部を挿通可能な貫通穴（図示せず）を１つずつそれぞれ開設している。
【００２４】
フェンス固定部５ｂは、断面長円形の円筒状を呈している。このフェンス固定部５ｂの開口部の内径に関し、長径は少なくとも防草フェンス３における横パイプ１６の連結部１７の外径の２倍以上に設定する一方、短径は横パイプ１６の外径に揃えてある。また、フェンス固定部５ｂの上下方向（支柱５に固定ブラケット１３を取り付けた状態における支柱５に沿った方向）の寸法は、連結部１７の全長よりも短く設定している。これにより、フェンス固定部５ｂには、図５（ｃ）に示すように、支柱５の両側にそれぞれ配置される各防草フェンス３の隣り合う連結部１７を上部開口側から合計２本挿入することができ、また、当該連結部１７を根元まで挿入した状態では、フェンス固定部５ｂの下部開口側から雄ネジが切られた先端部が下方に突出するようになっている。
【００２５】
防護柵４に防草フェンス３を取り付けるには、まず、防草フェンス３の横幅に応じた間隔で立設された各支柱５に対し、支柱固定部５ａのクランプ片２０ａ，２０ｂの間隔を広げて、当該開口部分から嵌め込んで固定ブラケット１３を仮止する（図５（ａ））。本実施形態において、１本の支柱５に対し、上下方向中央部から少し上側に寄った位置と、中央部よりも下側に寄った位置の合計２箇所に、フェンス固定部５ｂ側が非舗装面２側となる姿勢で固定ブラケット１３を仮止する。即ち、防草フェンス３を１つ取り付けるには、隣り合う２本の支柱５に対してそれぞれ２つずつ合計４箇所に固定ブラケット１３を仮止することになる。この仮止では、固定ブラケット１３におけるクランプ片２０の一方の貫通穴から締結ボルト２１の軸部を挿通して当該軸部の先端部を他方のクランプ片２０の貫通穴から突出させ、この突出部分にナット２２を螺合させて、完全固定されない程度に締め込んでおいても良い。
【００２６】
支柱５に固定ブラケット１３を仮止したならば、当該固定ブラケット１３のフェンス固定部５ｂの上部開口から防草フェンス３の連結部１７を挿入して、フェンス固定部５ｂの下部開口側から当該連結部１７の先端部を下方に突出させる。上述したように、この先端部には雄ネジが切られているので、ナット２３を螺合して締め込むことで、連結部１７をフェンス固定部５ｂに固定することができる（図５（ｃ））。このようにして、防護柵４の非舗装面２側に防草フェンス３を仮止する。この仮止状態では、支柱５に対して固定ブラケット１３をある程度上下に移動させることができるので、防護柵４に対する防草フェンス３の取り付け位置や姿勢を微調整することができる。防草フェンス３の取り付け位置が決定したならば、締結ボルト２１とナット２２を締め込むことで、クランプ片２０ａ，２０ｂ同士が近接しつつ支柱固定部５ａが縮径して支柱５の外周面に挟着する。これにより、図１および図２に示すように、防護柵４に防草フェンス３が固定される。
【００２７】
本発明に係る防草フェンス３を路面１と非舗装面２との境界部に沿って設置することで、図１に示すように、非舗装面２側で繁茂した雑草９等の草木が路面１側に進入することが防草面部１０によって阻止される。また、特に蔦などの蔓植物９′に関しては、防草フェンス３に沿って成長したとしても、反り返し部１１によって非舗装面２側に向けて反り返して戻すように誘導されるため、防草フェンス３の上部を乗り越えて路面１側に進入することが抑制される。これにより、非舗装面２側の草木が路面１側に進入することがより確実に防止される。その結果、雑草の刈り取り作業を頻繁に行わなくても済み、維持管理費を削減することが可能となる。
【００２８】
また、本実施形態においては、反り返し部１１の先端部を、先端に向かう程に非舗装面側に向けて彎曲させたので、反り返し部１１に絡まった蔓植物９′が反り返し部１１の先端まで伸びた場合において、当該蔓植物９′を自重により垂下させて非舗装面側に戻すことができる。これにより、蔓植物９′が路面側に進入することがより確実に防止される。
【００２９】
さらに、動力刈取機を用いて非舗装面側の雑草の刈り取りを行う場合においても、防草面部１０によって小石等が路面１側に飛ばされることが抑制されるので、別途に保護ネット等を作業時に取り付けなくても安全性を確保することができる。
【００３０】
また、本実施形態において、防草面部１０と反り返し部１１の基部１５ａとの間に間隙Ｇを設けているので、防草面部１０により路面１側への進入が阻止された蔓植物９′が間隙Ｇを通って反り返し部１１の縦パイプ１５に絡み易くなる。これにより、蔓植物９′をより効果的に誘導することが可能となる。
【００３１】
そして、各種防護柵の支柱の形状に応じた固定ブラケット１３を用意するだけで、防草フェンス３に加工等を施すことなく取り付けることができるので、汎用性を確保することができる。したがって、上記実施形態では、防護柵４を新設して当該防護柵４に防草フェンス３を取り付ける構成を例示したが、これには限られない。例えば、図６に示す変形例のように、前記した支柱５に替えて、既存のガードレールやガードパイプなどの防護柵４′の支柱に対し、専用の固定ブラケット１３′を用いて防草フェンス３を簡単且つ迅速に取り付けることができる。
【００３２】
なお、本発明は、上記した実施形態に限定されるものではなく、特許請求の範囲の記載に基づいて種々の変形が可能である。
【００３３】
図７および図８は、本発明の第２の実施形態における防草フェンス３′の構成について説明する図であり、図７は防草フェンス３′の右側面図、図８は防草フェンス３′の正面図である。本実施形態における防草フェンス３′は、防草面部１０′として防草ネット２６を用いた点が上記第１の実施形態で例示した防草フェンス３と異なっている。なお、反り返し部１１については、上記第１の実施形態と同様であるため、その詳細な説明については省略する。
【００３４】
本実施形態における防草面部１０′は、合成樹脂繊維や金属繊維をメッシュ状に編み込んで作製した防草ネット２６と、この防草ネット２６の左右両縁部を挟持するネット押さえ板２７と、防草ネット２６の下縁部を補強する下部フレーム３２と、から構成されている。本実施形態においては、この防草ネット２６の網目が、風や雨水を通過可能な排水開口部として機能する。この防草ネット２６を防草面部１０′に使用することで、視覚的な圧迫感がより抑制される。
【００３５】
下部フレーム３２は、防草ネット２６の横方向の寸法と同程度の長さの帯状の板材である。本実施形態における下部フレーム３２は、例えば、金属製の板材を帯幅方向の中央から折り返して二重にし、防草ネット２６の下縁部を挟み付けている。このように防草ネット２６の下縁部を下部フレーム３２によって補強することにより、非舗装面２側で繁茂した雑草に押圧されたり、風に煽られたりすること等によって防草ネット２６が撓むことが抑制される。これにより、当該防草ネット２６の下縁部と地面との間に、雑草が通過可能な隙間が生じることが防止される。
【００３６】
ネット押さえ板２７は、防草ネット２６の上下方向の寸法よりも長尺な金属製の板材であり、防草ネット２６の前面（路面側）に取り付けられる前側押さえ板２７ａと、防草ネット２６の背面（非舗装面側）に取り付けられる後側押さえ板２７ｂとから対になっている。各ネット押さえ板２７には、ボルト２８が挿通される挿通穴（図示せず）が、高さ方向に位置を異ならせて合計３箇所開設されている。防草ネット２６の左右の両縁部にも、各ネット押さえ板２７の挿通穴に対応させて貫通穴がそれぞれ３箇所ずつ合計６箇所開設されている。そして、各ネット押さえ板２７ａ，２７ｂを防草ネット２６の左右両縁部に対し前後から挟み付け、ボルト２８およびナット２９によって各ネット押さえ板２７ａ，２７ｂが防草ネット２６にそれぞれ固定される。また、前側押さえ板２７ａ又は後側押さえ板２７ｂの何れか一方には、後述する接続ボルト部３５が挿通される取付穴３１が開設された固定片部３０が側方に向けて延設されている。本実施形態においては、前側押さえ板２７ａに対して上下に位置を異ならせて合計２箇所に固定片部３０が形成されている。したがって、図８に示すように、防草面部１０′には合計４つの固定片部３０が設けられている。
【００３７】
図９は、本実施形態における防草フェンス３′と防護柵４の支柱５との連結構造について説明する図であり、（ａ）は防護柵４の支柱５に固定ブラケット１３″を取り付けた状態の拡大斜視図、（ｂ）は固定ブラケット１３″の斜視図、（ｃ）は防護柵４と防草フェンス３′の連結部分の拡大図である。本実施形態における固定ブラケット１３″は、フェンス固定部５ｂ′の構成が、上記第１の実施形態におけるフェンス固定部５ｂと異なっている。なお、支柱固定部５ａの構成は、上記第１の実施形態と同様であるため、その説明は省略する。
【００３８】
本実施形態におけるフェンス固定部５ｂ′は、矩形の取付プレート３４と、当該取付プレート３４の支柱固定部５ａ側とは反対側の取付面から突出した左右一対の接続ボルト部３５とから構成される。取付プレート３４は、支柱固定部５ａにおいて開放端部とは反対側の位置に溶接によって接合されている。この取付プレート３４の縦方向の寸法は、支柱固定部５ａの縦方向の寸法に揃えられる一方、取付プレート３４の横方向の寸法は、支柱固定部５ａの直径よりも少し長く設定されている。この固定ブラケット１３″の防護柵４の支柱５に対する取り付け方は、上記の第１の実施形態と同様であり、フェンス固定部５ｂ′側が非舗装面２側となる姿勢で支柱５に仮止する。本実施形態においては、１本の支柱５に対してそれぞれ２つずつ高さ方向の位置を異ならせて固定ブラケット１３″を取り付ける。この際、上下の固定ブラケット１３″の接続ボルト部３５の間隔を、ネット押さえ板２７の上下の取付穴３１の間隔に揃える。そして、ネット押さえ板２７の上下の取付穴３１に、支柱５に仮止した上下の固定ブラケット１３″の接続ボルト部３５をそれぞれ通し、図９（ｃ）に示すように、取付穴３１から突出した接続ボルト部３５の先端部にナット３６を螺合させて締め込み固定する。これにより、防護柵４の支柱５に防草フェンス３′が固定される。
【００３９】
図１０は、第２の実施形態の変形例を説明する防草面部１０″の正面図である。また、図１１は、当該変形例における防草フェンス３′と防護柵４との連結部分の拡大図である。この変形例では、防草ネット２６の上下の縁部にそれぞれ補強帯３９ａ，３９ｂを設けている。この補強帯３９ａ，３９ｂは、例えば、布製或いは合成樹脂製の帯材であり、上記の下部フレーム３２と同様に、帯幅方向の中央から折り返して二重にし、防草ネット２６の上下の縁部をそれぞれ挟み付けた状態で縫製している。なお、補強帯３９ａ，３９ｂを筒状にし、当該筒内に金属製のパイプ等を通してさらに補強するようにしても良い。
【００４０】
当該変形例におけるネット押さえ板２７′は、上記のネット押さえ板２７よりも幅広に形成してあり、貫通穴形成部分から外側に外れた領域における上下２箇所に、縦に長い長穴４０を開設している。この長穴４０は、固定ブラケット１３″の接続ボルト部３５が挿通される貫通穴である。当該変形例の構成を採用することにより、支柱５に取り付けられた固定ブラケット１３″の接続ボルト部３５を長穴４０に挿通してボルト３６によって固定する際、この長穴４０の長径の範囲内で、防草フェンス３′を支柱５に対して上下に移動させることができるので、取り付け位置を容易に調整することができる。
【００４１】
図１２は、本発明の第３の実施形態の構成について説明する図であり、（ａ）は本実施形態における防草フェンス３″を路肩に設置した状態を示す側面図、（ｂ）は本実施形態における防草フェンス３″を法面の途中に設置した状態を示す側面図である。上記の第１の実施形態および第２の実施形態では、防護柵４に対して防草フェンス３を取り付ける構成を例示したが、本実施形態の防草フェンス３″は、設置箇所に対して防護柵４を要とすることなく自立するように構成している点で、上記各実施形態と異なっている。具体的には、縦パイプ１５の基部１５ａの下端部を延長して、当該延長部分をアンカー部１５ａ′としている。そして、このアンカー部１５ａ′を設置箇所の土中に埋設することで、防草フェンス３″を自立させている。本実施形態の防草フェンス３″においても上記各実施形態の構成と同様の作用効果を奏することができるのに加え、防護柵に取り付ける構成と比較して設置箇所の自由度が向上する。
【００４２】
なお、上記各実施形態では、別体の防草面部と反り返し部とを組み合わせて構成した防草フェンスを例示したが、これには限られず、例えば、図１３に示す防草フェンス４２のように、防草面部と反り返し部とが一体のものを採用することもできる。例示した防草フェンス４２は、金属パイプ等のフレーム材４３を組み合わせることによって防草面部４２ａと反り返し部４２ｂの外形の一部を区画形成し、フレーム材４３で囲まれた部分に防草ネット４４を張設して構成されている。なお、この防草フェンス４２は、上記第３の実施形態の防草フェンス３″と同様に、設置箇所に対して防護柵を要とすることなく自立するタイプのものを例示している。
【００４３】
また、防草面部に関し、上記各実施形態で例示したものには限られず、例えば、エキスパンドメタルやその他の多孔状或いは網目状の面材を採用することができる。なお、防草面部は、当該防草面部の一方の面側から反対面側を見通すことが可能な素材及び構造を有することが望ましい。
また、防護柵に防草フェンスを取り付ける固定ブラケット等の取付構造に関しても、上記各実施形態で例示したものには限られず、周知の種々の取付構造を採用することができる。
【符号の説明】
【００４４】
１…路面，２…非舗装面，３…防草フェンス，４…防護柵，５…支柱，９…雑草，９′…蔓植物，１０…防草面部，１１…反り返し部，１２…開口部，１３…固定ブラケット，１５…縦パイプ，１６…横パイプ，１７…連結部
【図１】
2012102494.tif 000003
【図２】
2012102494.tif 000004
【図３】
2012102494.tif 000005
【図４】
2012102494.tif 000006
【図５】
2012102494.tif 000007
【図６】
2012102494.tif 000008
【図７】
2012102494.tif 000009
【図８】
2012102494.tif 000010
【図９】
2012102494.tif 000011
【図１０】
2012102494.tif 000012
【図１１】
2012102494.tif 000013
【図１２】
2012102494.tif 000014
【図１３】
2012102494.tif 000015